(57)【特許請求の範囲】
【請求項１】
平面形状が略長方形の底部と、底部の相対する長辺側に形成された高さの低い土手部にヒンジ連結された長側壁と、底部の相対する短辺側に形成された高さの高い土手部にヒンジ連結された短側壁とを有するとともに、折り畳まれた状態から、先ず最初に、短側壁を略垂直に立て、その後、長側壁を略垂直に立てることにより、箱型に組み立てられるように構成された折り畳みコンテナーにおいて、長側壁がヒンジ連結されている底部の高さの低い土手部の内壁面に、略垂直な奥壁面と略水平な天井面と内壁面から奥壁面に向かって上方に傾斜した傾斜底面とを有する嵌合凹部が形成されているとともに、長側壁の外壁面には、略垂直な先端面と略水平な上面と外壁面から先端面方向に向かって上方に傾斜した傾斜下面とを有する嵌合凸部が突設されており、且つ、長側壁に形成された嵌合凸部の先端面の高さを、底部の高さの低い土手部に形成された嵌合凹部の奥壁面の高さより、高く形成することにより、長側壁の垂直方向への回動途中において、長側壁に形成された嵌合凸部を、底部の高さの低い土手部に形成された嵌合凹部に嵌合させて、嵌合凸部と嵌合凹部とを当接させ、その後、更に、長側壁を垂直方向へ回動させることにより、長側壁に形成された嵌合凸部を、底部の高さの低い土手部に形成された嵌合凹部に圧入させ、長側壁の係止部材と短側壁の係止部材とが係合し箱型に組み立てられた際には、長側壁に、内側に倒れる付勢力が惹起されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
先ず最初に、図６〜図９を用いて、一例としての従来の折り畳みコンテナーについて説明する。
【０００３】
平面形状が略長方形の底部１は、その相対する長辺側に形成された高さの低い土手部１ａと、相対する短辺側に形成された高さの高い土手部１ｂとを有するとともに、高さの低い土手部１ａに、長側壁２がヒンジ連結され、また、高さの高い土手部１ｂに、短側壁３がヒンジ連結されている。また、底部１の高さの高い土手部１ｂの両端部からは、高さの低い土手部１ａ方向に延在する角部補強ブロック１ｃが形成されている。
【０００４】
また、底部１の裏面には、箱型に組み立てられた折り畳みコンテナーを段積みした際に、下に位置する折り畳みコンテナーの開口部に嵌合可能な嵌合部１ｄが突設されており、高さの高い土手部１ｂ間の中央に形成された、高さの高い土手部１ｂに平行な凹溝１ｅを挟んで、２個の副嵌合部１ｄ１に分割されている。図６に示されている折り畳みコンテナーの半分の大きさを有する小型の折り畳みコンテナーを、箱型に組み立てた状態で、２個並設し、その上に、図６に示されているような折り畳みコンテナーを段積みした際に、下に位置するとともに、並設された２個の小型の折り畳みコンテナーの隣接するフランジが、上に位置する折り畳みコンテナーの副嵌合部１ｄ１間に形成された凹溝１ｅに嵌合するように構成されている。
【０００５】
更に、底部１に突設された２個の副嵌合部１ｄ１間に形成された凹溝１ｅが位置する高さの低い土手部１ａの上面１ａ１には、少なくとも、凹溝１ｅの幅ｗ１以上の幅（高さの低い土手部１ａの長手方向に沿った長さ）を有する、正面形状（高さの低い土手部１ａ側から見た形状）が略方形状の補強ブロック１ｆが突設されており、この補強ブロック１ｆの上面は、底部１の高さの高い土手部１ｂの上面と同じ高さに形成されている。このような補強ブロック１ｆを突設することにより、凹溝１ｅを形成したために低下する底部１の強度や剛性を補償するように構成されている。
【０００６】
上述したように、底部１の高さの高い土手部１ｂの両端部からは、高さの低い土手部１ａ方向に延在する角部補強ブロック１ｃが形成されているので、長側壁２の下部角部には、折り畳みコンテナーを箱型に組みたてた際に、角部補強ブロック１ｃが入り込む切り欠き凹部２ａが形成されているとともに、底部１の高さの低い土手部１ａの上面１ａ１には、補強ブロック１ｆが突設されているので、長側壁２の下面中央部には、折り畳みコンテナーを箱型に組みたてた際に、補強ブロック１ｆが入り込む切り欠き凹部２ｂが形成されている。
【０００７】
図６に示されているように、箱型に組み立てられた折り畳みコンテナーを折り畳むには、先ず最初に、底部１の高さの低い土手部１ｂにヒンジ連結された短側壁３を、底部１方向に倒して、図７に示されているように、底部１の上に重ね、次いで、底部１の高さの高い土手部１ａにヒンジ連結された長側壁２を、底部１方向に倒して、底部１に重ねられた短側壁３の上に重ねることにより、図８に示されているように、高さの低いコンパクトな状態に折り畳むことができるように構成されている。また、折り畳まれた状態から、後から倒された長側壁２を、略垂直に立て、次いで、先に倒された短側壁３を略垂直に立てることにより、箱型に組み立てることができるように構成されている。
【０００８】
箱型に組み立てた状態の折り畳みコンテナー同士を段積みした際には、上に位置する折り畳みコンテナーの底部１の裏面に形成された嵌合部１ｄが、下に位置する折り畳みコンテナーの開口部に嵌合されるとともに、嵌合部１ｄの周囲に位置する底部１の裏面周辺部１’が、上に位置する折り畳みコンテナーの長側壁２のフランジ２’及び短側壁３のフランジ３’に載置されるように構成されている。
【０００９】
また、折り畳まれた状態の折り畳みコンテナー同士を段積みした際には、上に位置する折り畳みコンテナーの底部１の裏面に形成された嵌合部１ｄが、下に位置する折り畳みコンテナーの底部１に形成された高さの低い土手部１ａ、高さの高い土手部１ｂ、角部補強ブロック１ｃ及び補強ブロック１ｆの内側に位置するとともに、下に位置する折り畳みコンテナーの嵌合部１ｄの周囲に位置する底部１の裏面周辺部１’が、上に位置する折り畳みコンテナーの高さの高い土手部１ｂ、角部補強ブロック１ｃ及び補強ブロック１ｆの上面に載置されるように構成されている。
【００１０】
【発明が解決しようとする課題】
上述した従来の折り畳みコンテナーにおいては、箱型に組み立てられた状態の長側壁２、即ち、略垂直に立てられた状態の長側壁２の中央部が、外側の湾曲変形している場合がある。このように、長側壁２の中央部が外側の湾曲変形していると、箱型に組み立てられた折り畳みコンテナーを段積みした際に、上に位置する折り畳みコンテナーの底部１が、下に位置する折り畳みコンテナーの長側壁２のフランジ２’に全面的に載置されず、従って、段積み状態が不安定になるという問題があった。
【００１１】
また、上述したように、図６に示されている箱型に組み立てられた折り畳みコンテナーに、該折り畳みコンテナーの長側壁２の半分の幅の短側壁を有するとともに、短側壁３と同じ幅の長側壁を有する、所謂、半箱を載置した場合に、下に位置する折り畳みコンテナーの長側壁２の中央部が外側の湾曲変形していると、半箱の底部の角部が、下に位置する折り畳みコンテナーの長側壁２に充分に載置されなかったり、また、長側壁２の湾曲が大きい場合には、半箱の底部の角部が、下に位置する折り畳みコンテナーの長側壁２に載置されないということもあった。
【００１２】
本発明の目的は、上述した従来の折り畳みコンテナーが有する課題を解決することにある。
【００１３】
【課題を解決するための手段】
本発明は、上述した目的を達成するために、平面形状が略長方形の底部と、底部の相対する長辺側に形成された高さの低い土手部にヒンジ連結された長側壁と、底部の相対する短辺側に形成された高さの高い土手部にヒンジ連結された短側壁とを有するとともに、折り畳まれた状態から、先ず最初に、短側壁を略垂直に立て、その後、長側壁を略垂直に立てることにより、箱型に組み立てられるように構成された折り畳みコンテナーにおいて、長側壁がヒンジ連結されている底部の高さの低い土手部の内壁面に、略垂直な奥壁面と略水平な天井面と内壁面から奥壁面に向かって上方に傾斜した傾斜底面とを有する嵌合凹部が形成されているとともに、長側壁の外壁面には、略垂直な先端面と略水平な上面と外壁面から先端面方向に向かって上方に傾斜した傾斜下面とを有する嵌合凸部が突設されており、且つ、長側壁に形成された嵌合凸部の先端面の高さを、底部の高さの低い土手部に形成された嵌合凹部の奥壁面の高さより、高く形成することにより、長側壁の垂直方向への回動途中において、長側壁に形成された嵌合凸部を、底部の高さの低い土手部に形成された嵌合凹部に嵌合させて、嵌合凸部と嵌合凹部とを当接させ、その後、更に、長側壁を垂直方向へ回動させることにより、長側壁に形成された嵌合凸部を、底部の高さの低い土手部に形成された嵌合凹部に圧入させ、長側壁の係止部材と短側壁の係止部材とが係合し箱型に組み立てられた際には、長側壁に、内側に倒れる付勢力が惹起されるように構成したものである。
【００１４】
【実施例】
以下に、本発明の実施例について説明するが、本発明の趣旨を越えない限り何ら、本実施例に限定されるものでない。なお、上述した従来の折り畳みコンテナーと同じ構成部材については、同じ符号が使用されており、また、その詳細な説明は省略する。
【００１５】
長辺側に形成された高さの低い土手部１ａに突設された正面形状が略方形状の補強ブロック１ｆの内壁面１ｆ１には、嵌合凹部４が形成されている。この嵌合凹部４は、略垂直な奥壁面４ａと、略水平な天井面４ｂと、内壁面１ｆ１から奥壁面４ａ方向に向かって上方に傾斜している傾斜底面４ｃとから形成されており、本実施例においては、嵌合凹部４は、補強ブロック１ｆの全幅に亘たって形成されている。
【００１６】
一方、長側壁２の下面中央部に形成された、上述した補強ブロック１ｆが入り込む切り欠き凹部２ｂは、水平枠２ｃと相対する垂直枠２ｄとにより形成されている。切り欠き凹部２ｂを形成する水平枠２ｃには、相対する垂直枠２ｄを連結するように、長側壁２の板状部２”を下方に延長した横長の帯状片２ｅが垂下されており、この帯状片２ｅの外壁面２ｅ１には、上述した補強ブロック１ｆに形成された嵌合凹部４に嵌合可能な嵌合凸部５が突設されている。この嵌合凸部５は、略垂直な先端面５ａと、略水平な上面５ｂと、帯状片２ｅの外壁面２ｅ１から先端面５ａ方向に向かって上方に傾斜した傾斜下面５ｃとを有している。
【００１７】
長側壁２の切り欠き凹部２ｂ内に形成された帯状片２ｅに突設された嵌合凸部５の先端面５ａの高さＨ１は、底部１の低い土手部１ａに突設された補強ブロック１ｆに形成された嵌合凹部４の奥壁面４ａの高さＨ２より、高く形成されており、また、嵌合凸部５の傾斜下面５ｃと嵌合凹部４の傾斜底面４ｃとは、その傾斜角度が同じに形成されている。
【００１８】
折り畳みコンテナーの組み立て作業において、図１に示されているように、短側壁３が略垂直に立てられている状態から、底部１に重なるように倒されている長側壁２を回動させて、略垂直に立てることになるが、この長側壁２の垂直方向への回動途中において、長側壁２の切り欠き凹部２ｂ内に形成された帯状片２ｅに突設された嵌合凸部５は、底部１の低い土手部１ａに突設された補強ブロック１ｆに形成された嵌合凹部４に嵌合することになるが、嵌合凸部５の先端面５ａの高さＨ１は、嵌合凹部４の奥壁面４ａの高さＨ２より高く形成されているので、図３に示されているように、長側壁２の垂直方向への回動は、嵌合凸部５の先端面５ａが、嵌合凹部４の奥壁面４ａに達する手前で、その回動が、一時停止されることになる。その後、更に、長側壁２を垂直方向へ回動させ、嵌合凸部５を、嵌合凹部４に圧入させて、図４に示されているように、嵌合凸部５の先端面５ａを、嵌合凹部４の奥壁面４ａに、より接近或いは当接させ、その後、公知のように、短側壁３の両端部に形成されている係合部材６と長側壁２の両端部に形成されている係合部材７とを係合させて、折り畳みコンテナーの箱型への組立が完了することになる。
【００１９】
短側壁３の両端部に形成されている係合部材６の一例として、本実施例には、短側壁３に対して略直角方向に延在するとともに、適当数の透孔６ａ１が穿設されている係合片６ａと、短側壁３に形成された、先端部に係止凸部６ｂ１を有する弾性舌片６ｂとからなる係合部材６が示されている。また、長側壁３の両端部に形成されている係合部材７の一例として、本実施例には、短側壁３に形成された係合片６ａに穿設された係止突片６ｂ１に挿入可能な嵌合突起７ａとからなる係合部材７が示されている。そして、折り畳みコンテナーの組み立て作業時に、先に立てられた短側壁３に次いで、長側壁２を垂直方向に回動させた際には、長側壁７の係合部材７に形成された嵌合突起７ａが、短側壁３の係合部材６の係合片６ａに穿設された透孔６ａ１に挿入されるとともに、長側壁２が、短側壁３の係合部材６を構成する弾性舌片６ｂを通過した時点で、長側壁２により外側に押された弾性舌片６ｂが、内側に戻り、短側壁３の係合部材６を構成する弾性舌片６ｂの係止凸部６ｂ１が、略垂直に立てられた長側壁２の内壁面２ｆに当接し、長側壁２の底部１方向への回動を阻止するように構成されている。また、短側壁３の係合部材６を構成する弾性舌片６ｂを、その係止凸部６ｂ１が、長側壁２の内壁面２ｆから外れるように、外側に押し、その後、長側壁２を底部１方向に回動させることにより、長側壁７の係合部材７に形成された嵌合突起７ａを、短側壁３の係合部材６の係合片６ａに穿設された透孔６ａ１から出して、長側壁２を、底部１に重ねるように構成されている。
【００２０】
上述したように、折り畳みコンテナーが箱型に組み立てられた際には、短側壁３の両端部に形成されている係合部材６と長側壁２の両端部に形成されている係合部材７とが係合されて、長側壁２は、その両端において固定されているとともに、長側壁２の切り欠き凹部２ｂ内に形成された帯状片２ｅに突設された嵌合凸部５が、底部１の低い土手部１ａに突設された補強ブロック１ｆに形成された嵌合凹部４に圧入されているので、長側壁２の中央部付近は、嵌合凸部５の嵌合凹部４への圧入の反力として、内側に倒れる付勢力が作用することになり、従って、長側壁２の中央部の外側への湾曲変形が矯正されて、長側壁２が略平面状に維持されることになる。
【００２１】
図５には、長側壁２の切り欠き凹部２ｂ内に形成された帯状片２ｅに突設された嵌合凸部５の、底部１の低い土手部１ａに突設された補強ブロック１ｆに形成された嵌合凹部４への圧入手段の別の実施例が示されている。
【００２２】
この実施例では、嵌合凸部５の先端面５ａの高さＨ１は、嵌合凹部４の奥壁面４ａの高さＨ２と同じか、それより低く形成されており、そして、嵌合凸部５の先端面５ａが、嵌合凹部４の奥壁面４ａに接触する手前で、嵌合凸部５の傾斜下面５ｃが、嵌合凹部４の傾斜底面４ｃに当接し、長側壁２の垂直方向への回動が、一時的に停止するように構成されている。その後、更に、長側壁２を垂直方向へ回動させ、嵌合凸部５を、嵌合凹部４に圧入させて、図４に示されているように、嵌合凸部５の先端面５ａを、嵌合凹部４の奥壁面４ａに、より接近或いは当接させ、その後、上述したように、短側壁３の両端部に形成されている係合部材６と長側壁２の両端部に形成されている係合部材７とを係合させて、折り畳みコンテナーの箱型への組立が完了することになる。
【００２３】
なお、嵌合凸部５の嵌合凹部４への圧入手段としては、上述した実施例に限定されることなく、種々の圧入手段を採用することができる。例えば、嵌合凸部５と嵌合凹部４とを略同じ形状で略同じ大きさに構成するとともに、嵌合凸部５の傾斜下面５ｃに適当な突起を形成し、嵌合凸部５を、嵌合凹部４に挿入した際に、嵌合凸部５の先端面５ａが、嵌合凹部４の奥壁面４ａに接触する手前で、上記の突起が、補強ブロック１ｆの内壁面１ｆ１に当接し、長側壁２の垂直方向への回動を、一時的停止させるように構成することもできる。その後、更に、長側壁２を垂直方向へ回動させて、嵌合凸部５を、嵌合凹部４に圧入させることにより、嵌合凸部５の嵌合凹部４への圧入の反力として、長側壁２に、内側に倒れる付勢力を付与する。
【００２４】
また、上述した実施例には、嵌合凸部５を、長側壁２の切り欠き凹部２ｂ内に形成された帯状片２ｅに配設し、また、嵌合凹部４を、底部１の低い土手部１ａに突設された補強ブロック１ｆに配設した例が示されているが、長側壁２の係止部材７と短側壁３の係止部材６とが係合し箱型に組み立てられた際に、長側壁２に、内側に倒れる付勢力を惹起させるような嵌合凹部４や嵌合凸部５であれば、どのような位置にでも配設することできる。例えば、嵌合凹部４を、底部の土手部１ａに配設し、この嵌合凹部４に対応して、嵌合凸部５を、長側壁２の下部に配設することもできる。
【００２５】
上述したように、長側壁２の垂直方向への回動途中において、長側壁２に形成された嵌合凸部５を、底部１に形成された嵌合凹部４に嵌合させるとともに、嵌合凸部５と嵌合凹部４とを当接させて、長側壁２の垂直方向への回動を、一時停止さ、その後、嵌合凸部５を、嵌合凹部４に圧入させるとともに、短側壁３に形成されている係合部材６と長側壁２に形成されている係合部材７とを係合させるように構成することにより、長側壁２の中央部付近に、嵌合凸部５の嵌合凹部４への圧入の反力として、内側に倒れる付勢力を惹起させたので、長側壁２の中央部の外側への湾曲変形が矯正されて、長側壁２が略平面状に維持されることになる。従って、折り畳みコンテナーを、安定した状態で、段積みすることができる。
【００２６】
また、長側壁２の中央部付近には、嵌合凸部５の嵌合凹部４への圧入の反力として、内側に倒れる付勢力が付与されているので、種々の物品が収容された際に生じる、長側壁２の外膨らみを抑制することができる。
【００２７】
【発明の効果】
本発明は、以上説明した構成を有しているので、以下に記載する効果を奏するものである。
【００２８】
長側壁の係止部材と短側壁の係止部材とが係合し箱型に組み立てられた際に、長側壁には、内側に倒れる付勢力が惹起されるように構成されているので、長側壁の中央部の外側への湾曲変形を矯正することができ、従って、折り畳みコンテナーを、安定した状態で、段積みすることができる。
【００２９】
また、長側壁の中央部付近には、内側に倒れる付勢力が付与されているので、種々の物品が収容された際に生じる、長側壁の外膨らみを抑制することができる。
【図面の簡単な説明】
【図１】図１は本発明の折り畳みコンテナーの組み立て途中の斜視図である。
【図２】図２は本発明の折り畳みコンテナーの底部及び長側壁の分解状態の短側壁に沿った部分側断面図である。
【図３】図３は本発明の折り畳みコンテナーの底部に配設された嵌合凹部と長側壁に配設された嵌合凸部の嵌合途中の短側壁に沿った部分側断面図である。
【図４】図４は本発明の折り畳みコンテナーの底部に配設された嵌合凹部と長側壁に配設された嵌合凸部とが嵌合された状態の短側壁に沿った部分側断面図である。
【図５】図５は本発明の別の実施例の折り畳みコンテナーの底部に配設された嵌合凹部と長側壁に配設された嵌合凸部の嵌合途中の短側壁に沿った部分側断面図である。
【図６】図６は従来の折り畳みコンテナーの箱型に組み立てられた状態の斜視図である。
【図７】図７は従来の折り畳みコンテナーの折り畳み或いは組み立て途中の斜視図である。
【図８】図８は従来の折り畳みコンテナーの折り畳み状態の斜視図である。
【図９】図９は従来の折り畳みコンテナーの底部の裏面斜視図である。
【符号の説明】
１・・・・・・・・・・・・底部
１ｆ・・・・・・・・・・・補強ブロック
２・・・・・・・・・・・・長側壁
３・・・・・・・・・・・・短側壁
４・・・・・・・・・・・・嵌合凹部
５・・・・・・・・・・・・嵌合凸部
６、７・・・・・・・・・・係合部材
【図１】
0003902496.tif 000002
【図２】
0003902496.tif 000003
【図３】
0003902496.tif 000004
【図４】
0003902496.tif 000005
【図５】
0003902496.tif 000006
【図６】
0003902496.tif 000007
【図７】
0003902496.tif 000008
【図８】
0003902496.tif 000009
【図９】
0003902496.tif 000010